(57)【要約】【課題】      汎用性が高く、ラックの種類や搭載するＡＶ機器の種類にかかわらず、あらゆる種類のラックおよびＡＶ機器に適用可能なＡＶ機器の転倒防止構造と該構造を採用したＡＶ機器用ラックを提供する。【解決手段】  ＡＶ機器12背面の左右に離間した位置に設けられているネジ止め部24a,24bのそれぞれにリング付金具14a,14bを取り付け、これらリング付金具14a,14bのリング部20a,20bあるいは22a,22bに紐部材16を挿通してリング付金具14a,14bどうしを繋ぐと共に、紐部材16の端部をラック10背面の所定位置に固定する。これにより、背面にネジ止め部24a,24bが設けられている全てのＡＶ機器12に適用可能な転倒防止構造Aを提供できる。【選択図】  図１
2006174296.tif 000002
【特許請求の範囲】
【請求項１】
ラックに搭載したＡＶ機器の転倒を防止する転倒防止構造であって、
ＡＶ機器背面の左右に離間した位置に設けられたネジ止め部に装着される一対のリング付金具と、
前記リング付金具のリング部に挿通されて前記リング付金具どうしを繋ぐと共に、その端部がラックの背面に固定される紐部材とで構成されていることを特徴とするＡＶ機器の転倒防止構造。
【請求項２】
前記リング付金具が、小径リング部と、前記小径リング部に対して略直交するように設けられた大径リング部とで構成されていることを特徴とする請求項１に記載のＡＶ機器の転倒防止構造。
【請求項３】
前記紐部材の一端に環状部が形成されていることを特徴とする請求項１又は２に記載のＡＶ機器の転倒防止構造。
【請求項４】
請求項１乃至３のいずれかに記載の転倒防止構造を備えたことを特徴とするＡＶ機器用ラック。
【発明の詳細な説明】
【技術分野】
【０００１】
本発明は、ラックに搭載したテレビジョン受信機などのＡＶ機器の転倒防止構造と該構造を採用したＡＶ機器用ラックに関する。
【背景技術】
【０００２】
ラックに搭載したテレビジョン受信機(以下、単に「テレビ」という)などのＡＶ機器が地震等の振動によって転倒し或いはラックの上から転落するといった事故が発生している。
【０００３】
かかる事故を防止するため、テレビのバックカバーに鉤状体やハンド挿入孔を設け、紐やバンドを介してテレビを壁やラックなどの固定体に固定する技術（例えば、特許文献１参照。）や、テレビにツバ形状を設けると共に、ラックに前記ツバ形状と嵌合する嵌合形状を設ける技術（例えば、特許文献２参照。）などが提案されている。
【０００４】
これらの技術によれば、ラックに搭載したＡＶ機器(テレビ)が地震等の振動によって転倒したり、ラックの上から転落するのを効果的に防止することができる。
【特許文献１】特開平９−３７１９１号公報（第２−３頁、第１図）
【特許文献２】特開２００４−３０４２１３号公報（第２−３頁、第１図）
【発明の開示】
【発明が解決しようとする課題】
【０００５】
しかしながら、上述した従来の技術では、転倒防止を実現するため、ラックに搭載するＡＶ機器の背面や底部に予め鉤状体やバンド挿入孔或いはツバ形状といった部材を設けて置かなければならず、また、ラックにも嵌合形状などを設けて置かなければならなかった。このため、ラックに搭載したあらゆるＡＶ機器の転倒を防止できるというものではなく、汎用性が低いという問題があった。
【０００６】
また、近年、リモコン操作でテレビ本体を左右に回転させテレビ画面を所望の向きに位置決めできる電動あるいは手動の首振り機構を備えたテレビが上市されているが、テレビのバックカバーに鉤状体やバンド挿入孔を設け、紐やバンドを介してテレビを固定体に固定する転倒防止装置では、テレビと固定体との距離が一定となるように(つまり、変化しないように)固定されているため、当該首振り機構を作動させることができなくなるという問題もあった。
【０００７】
それゆえに、本発明の主たる課題は、汎用性が高く、ラックの種類や搭載するＡＶ機器の種類にかかわらず、あらゆる種類のラックおよびＡＶ機器に適用可能なＡＶ機器の転倒防止構造と該構造を採用したＡＶ機器用ラックを提供することである。
【課題を解決するための手段】
【０００８】
請求項１に記載した発明は、「ラック(10)に搭載したＡＶ機器(12)の転倒を防止する転倒防止構造(A)であって、ＡＶ機器(12)背面の左右に離間した位置に設けられたネジ止め部(24a)(24b)に装着される一対のリング付金具(14a)(14b)と、リング付金具(14a)(14b)のリング部[(20a)(20b)あるいは(22a)(22b)]に挿通されてリング付金具(14a)(14b)どうしを繋ぐと共に、その端部がラック(10)の背面に固定される紐部材(16)とで構成されている」ことを特徴とするＡＶ機器(12)の転倒防止構造(A)である。
【０００９】
この発明では、ＡＶ機器(12)背面の左右に離間した位置に設けられているネジ止め部(24a)(24b)のそれぞれにリング付金具(14a)(14b)を取り付け、これらリング付金具(14a)(14b)のリング部[(20a)(20b)あるいは(22a)(22b)]に紐部材(16)を挿通してリング付金具(14a)(14b)どうしを繋ぐと共に、紐部材(16)の端部をラック(10)背面の所定位置に固定するだけで、ラック(10)に搭載したＡＶ機器(12)が地震などの振動によって転倒するのを防止することができる。このようにＡＶ機器(12)の背面に設けられているネジ止め部(24a)(24b)を利用して転倒防止構造(A)が構成されているので、予めＡＶ機器(12)の背面に鉤状体やバンド挿入孔或いはツバ形状といった部材を設ける必要がなく、背面にネジ止め部(24a)(24b)が設けられている全てのＡＶ機器(12)に適用することができる。
【００１０】
また、この転倒防止構造(A)を取り付けるＡＶ機器(12)が電動首振り機構を備えたものであったとしても、電動首振り機構を作動させた際、紐部材(16)がリング付金具(14a)(14b)のリング部[(20a)(20b)あるいは(22a)(22b)]間をスライドしてリング付金具(14a)(14b)とラック(10)背面に取り付けた紐部材(16)端部との距離が自動的に調整されるので、当該電動首振り機構の作動を邪魔することはない。
【００１１】
請求項２に記載した発明は、請求項１に記載の転倒防止構造(A)において、「リング付金具(14)が、小径リング部(20)と、小径リング部(20)に対して略直交するように設けられた大径リング部(22)とで構成されている」ことを特徴とする。
【００１２】
リング付金具(14)をこのような構成にすることで、例えば小径リング部(20)の内径をネジ部外径４〜５ｍｍのネジ(30)で構成されたネジ止め部(24)に取着可能な大きさとし、大径リング部(22)の内径をネジ部外径６〜８ｍｍのネジ(30)で構成されたネジ止め部(24)に取着可能な大きさとした場合、ＡＶ機器(12)背面に設けられているネジ止め部(24)がネジ部外径４〜５ｍｍのネジ(30)で構成されている場合には小径リング部(20)をネジ止め部(24)に取り付け、ネジ止め部(24)がネジ部外径６〜８ｍｍのネジ(30)で構成されている場合には大径リング部(22)をネジ止め部(24)に取り付けることができる。つまり、ネジ止め部(24)を構成するネジ(30)の外径が異なる場合でも一つのリング付金具(14)で対応することが可能となる。
【００１３】
請求項３に記載した発明は、請求項１又は２に記載の転倒防止構造(A)において、「紐部材(16)の一端に環状部(26)が形成されている」ことを特徴とするもので、これにより、紐部材(16)の一端をラック(10)背面の所定位置に固定する際、ラック(10)背面に取り付けた木ネジ(28)などの固定具に環状部(26)を引っ掛けるだけで当該一端の固定を完了することができる。また、ラック(10)の脚部がスチールパイプのような棒状部材で構成されている場合には、木ネジ(28)などの固定具を使用せずに、環状部(26)が形成された紐部材(16)の一端部を前記脚部に巻き付け、環状部(26)の環の中に紐部材(16)の他端を挿入し、この他端を引張るだけで紐部材(16)の一端をラック(10)に固定することができる。つまり、このような環状部(26)を設けることによって紐部材(16)の一端を簡単に、しかもあらゆる種類のラック(10)に固定することができる。
【００１４】
請求項４に記載した発明は、「請求項１乃至３のいずれかに記載の転倒防止構造(A)を備えた」ことを特徴とするＡＶ機器用ラック(10)である。
【発明の効果】
【００１５】
本発明によれば、予めＡＶ機器の背面に鉤状体やバンド挿入孔或いはツバ形状といった部材を設けることなく、ＡＶ機器背面の左右に離間した位置に設けられているネジ止め部のそれぞれにリング付金具を取り付け、これらリング付金具のリング部に紐部材を挿通してリング付金具どうしを繋ぐと共に、紐部材の端部をラック背面の所定位置に固定するだけで、ラックに搭載したＡＶ機器が地震などの振動によって転倒するのを防止することができる。
【００１６】
また、リング付金具として小径リング部と、小径リング部に対して略直交するように設けられた大径リング部とで構成されているものを用いれば、ネジ止め部を構成するネジの外径が異なる場合でも一つのリング付金具で対応することができる。
【００１７】
さらに、紐部材の一端に環状部を形成することによって、紐部材の一端を簡単に、しかもあらゆる種類のラックの背面に固定することができる。
【００１８】
したがって、汎用性が高く、ラックの種類や搭載するＡＶ機器の種類にかかわらず、あらゆる種類のラックおよびＡＶ機器に適用可能なＡＶ機器の転倒防止構造と該構造を採用したＡＶ機器用ラックを提供することができる。
【発明を実施するための最良の形態】
【００１９】
以下、本発明を図面に従って詳述する。図１は、本発明の一実施例(第１実施例)のＡＶ機器(12)の転倒防止構造(A)を採用したＡＶ機器用ラック(10)を示す背面斜視図である。このように本発明の転倒防止構造(A)は、大略、一対のリング付金具(14a)(14b)と紐部材(16)とで構成されている。なお、リング付金具の他、同一構造のもので複数個使用されているもの(例えば、後述するネジ止め部など)は、上位概念として説明する場合、本明細書全体を通じてアルファベット小文字の添え字を削除して説明する。また、図面においてＡＶ機器(12)として薄型テレビを示しているが、ＡＶ機器(12)はこれに限定されるものではない。さらに、ラック(10)として図面では木製のボックスタイプのものを示しているが、例えばパイプフレーム式のものなどＡＶ機器(12)を搭載できるものであれば如何なる態様であってもよい。
【００２０】
リング付金具(14)は、アルミニウムやステンレスなどの金属材料からなり、軸部(18)の一端側に設けられた小径リング部(20)と、小径リング部(20)に対して略直交するように軸部(18)の他端側に設けられた大径リング部(22)とを有する金具である(図２参照)。このリング付金具(14)は小径リング部(20)或いは大径リング部(22)のいずれか一方がＡＶ機器(12)背面のネジ止め部(24)に取り付けられ、他方に後述する紐部材(16)が挿通される。
【００２１】
紐部材(16)は、リング付金具(14)を介してＡＶ機器(12)の背面とこれを搭載したラック(10)とを連結するものであり、天然繊維あるいは合成繊維などからなる紐(組紐)や金属製のワイヤなどがこれに該当する。この紐部材(16)の一端には環状部(26)が形成されており、木ネジ(28)などの固定手段によって当該環状部(26)がラック(10)背面の所定位置に固定される。また、紐部材(16)の他端側も環状部(26)と同様に木ネジ(28)などの固定手段によってラック(10)背面の所定位置に固定される。
【００２２】
次に、以上のように構成された本発明の転倒防止構造(A)の取り付け方法について説明する。まず、ＡＶ機器(12)の背面に設けられている左右一対のネジ止め部(24a)(24b)のそれぞれにリング付金具(14a)(14b)を取り付ける。具体的には、ネジ止め部(24a)(24b)のネジ(30a)(30b)を取外し、ネジ穴(32a)(32b)とネジ(30a)(30b)の間にリング付金具(14a)(14b)の小径リング部(20a)(20b)或いは大径リング部(22a)(22b)のいずれか一方(図３では小径リング部)を介装した後、再びネジ穴(32a)(32b)にネジ(30a)(30b)を螺着する(図３参照)。すると、(ネジ止め部(24a)(24b)に取り付けられていない) 小径リング部(20a)(20b)或いは大径リング部(22a)(22b)の他方(図３では大径リング部)がＡＶ機器(12)の背面から突出した状態でネジ止め部(24a)(24b)にリング付金具(14a)(14b)が固定される。なお、リング付金具(14)を取り付けるネジ止め部(24)は、その転倒防止効果を考慮すると、ＡＶ機器(12)背面の上側に位置するものの方がよい。
【００２３】
続いて、一方のリング付金具(14a)に対応するラック(10)の天板側面の所定位置に木ネジ(28a)を螺着し、この木ネジ(28a)の軸部に紐部材(16)の一端に設けられた環状部(26)を引っ掛ける。
【００２４】
続いて、紐部材(16)の他端をＡＶ機器(12)の背面から突出するリング付金具(14a)のリング部(図３では大径リング部(22a))に挿通させた後、リング付金具(14a)(14b)どうしを繋ぐように、もう一方のリング付金具(14b)のリング部(図３では大径リング部(22b))にも挿通させ、リング付金具(14b)に対応するラック(10)の天板側面の位置まで引張る。
【００２５】
そして、リング付金具(14a)に対応するラック(10)の天板側面の所定位置に木ネジ(28b)を螺着すると共に、紐部材(16)が弛まないように引き延ばして紐部材(16)の他端を木ネジ(28)に巻回して固定する。これにより、転倒防止構造(A)の取り付けが完了する。
【００２６】
本実施例の転倒防止構造(A)によれば、ＡＶ機器(12)の背面に設けられているネジ止め部(24a)(24b)を利用して転倒防止構造(A)が構成されているので、予めＡＶ機器(12)の背面に鉤状体やバンド挿入孔或いはツバ形状といった部材を設ける必要がなく、背面にネジ止め部(24a)(24b)が設けられている全てのＡＶ機器(12)に適用することができる。
【００２７】
また、この転倒防止構造(A)を取り付けるＡＶ機器(12)が電動或いは手動の首振り機構を備えたものであったとしても、首振り機構を作動させた際、紐部材(16)がリング付金具(14a)(14b)のリング部[(20)或いは(22)]間をスライドしてリング付金具(14a)(14b)とラック(10)背面に取り付けた紐部材(16)端部との距離が自動的に調整されるので、当該首振り機構の作動を邪魔することはない。
【００２８】
さらに、リング付金具(14)を軸部(18)の一端側に設けられた小径リング部(20)と、小径リング部(20)に対して略直交するように軸部(18)の他端側に設けられた大径リング部(22)とで構成しているので、例えば小径リング部(20)の内径をネジ部外径４〜５ｍｍのネジ(30)で構成されたネジ止め部(24)に取着可能な大きさとし、大径リング部(22)の内径をネジ部外径６〜８ｍｍのネジ(30)で構成されたネジ止め部(24)に取着可能な大きさとした場合、ＡＶ機器(12)背面に設けられているネジ止め部(24)がネジ部外径４〜５ｍｍのネジ(30)で構成されている場合には小径リング部(20)をネジ止め部(24)に取り付け、ネジ止め部(24)がネジ部外径６〜８ｍｍのネジ(30)で構成されている場合には大径リング部(22)をネジ止め部(24)に取り付けることができる。つまり、ネジ止め部(24)を構成するネジ(30)の外径が異なる場合でも一つのリング付金具(14)で対応することが可能となる。
【００２９】
そして、紐部材(16)の一端に環状部(26)が形成されているので、紐部材(16)の一端をラック(10)背面の所定位置に固定する際、ラック(10)背面に取り付けた木ネジ(28)などの固定具に環状部(26)を引っ掛けるだけで当該一端の固定を完了することができる。また、ラック(10)の脚部がスチールパイプのような棒状部材で構成されている場合(図示せず)には、木ネジ(28)などの固定具を使用せずに、環状部(26)が形成された紐部材(16)の一端部を前記脚部に巻き付け、環状部(26)の環の中に紐部材(16)の他端を挿入し、この他端を引張るだけで紐部材(16)の一端をラック(10)に固定することができる。つまり、このような環状部(26)を設けることによって紐部材(16)の一端を簡単に、しかもあらゆる種類のラック(10)に固定することができる。
【００３０】
なお、上述の実施例では、紐部材(16)の端部を別々の固定具[上述の例では木ネジ(28a)(28b)]を使ってリング付金具(14a)(14b)それぞれの取付位置に対応するラック(10)背面の所定位置に固定する例を示したが、図４に示すように、１つの固定具[図４の場合は木ネジ(28)]を使い、紐部材(16)の両端部をラック(10)背面の１箇所に固定するようにしてもよい。
【００３１】
また、リング付金具(14)として軸部(18)の一端に小径リング部(20)を設け、他端に大径リング部(22)を設ける場合を示したが、小径リング部(20)に対して大径リング部(22)が略直交するように配置され、これらのいずれかがネジ止め部(24)に取り付け可能な大きさの内径を有するものであればリング付金具(14)の態様は如何なるものであってもよく、例えば(図示しないが)軸部(18)を省略して小径リング部(20)と大径リング部(22)とが直接接続されたものや、小径リング部(20)と大径リング部(22)の位置関係が可動できるようなものであってもよい。
【００３２】
さらに、上述の例では、小径リング部(20)と大径リング部(22)とで構成されたリング付金具(14)を、ネジ止め部(24)のネジ(30)とネジ穴(30)の間に介装して固定する場合を示したが、リング付金具(14’)として、図５に示すように、雄ネジ部(34)の後端に環状部(36)が設けられた本体(38)と、前記雄ネジ部(34)に螺合するナット(40)とで構成されたものを用意し、このリング付金具(14’)をネジ(30)に替えてネジ止め部(24)のネジ穴(32)に螺着するようにしてもよい。ここで、ＡＶ機器(12)背面に設けられているネジ止め部(24)のネジ穴(32)の深さは各機器(12)によって様々であるが、このリング付金具(14’)では、雄ネジ部(34)に螺合するナット(40)の位置を移動して雄ネジ部(34)先端からナット(40)先端までの距離(L)を調節することができるので、あらゆる深さのネジ穴(32)に対応する事が可能となる。
【図面の簡単な説明】
【００３３】
【図１】本発明の転倒防止構造を用いたＡＶ機器用ラックを示す背面斜視図である。
【図２】本発明の一実施例のリング付金具を示す説明図である。
【図３】本発明の転倒防止構造の取り付け方法を示す説明図である。
【図４】本発明の他の実施例の転倒防止構造を示す背面斜視図である。
【図５】本発明の他の実施例のリング付金具を示す正面図である。
【符号の説明】
【００３４】
(A)…転倒防止構造
(10)…・ラック
(12)…ＡＶ機器
(14)…リング付金具
(16)…紐部材
(18)…軸部
(20)…小径リング部
(22)…大径リング部
(24)…ネジ止め部
(26)…環状部
(28)…木ネジ
(30)…ネジ
(32)…ネジ穴
【図１】
2006174296.tif 000003
【図２】
2006174296.tif 000004
【図３】
2006174296.tif 000005
【図４】
2006174296.tif 000006
【図５】
2006174296.tif 000007